(57)【特許請求の範囲】
【請求項１】
画像情報を入力する画像入力手段と、前記画像入力手段から入力された画像情報に基づいて、画像を再現出力する画像出力手段と、前記画像入力手段に入力された画像データの少なくとも一部に、特定パターン画像が含まれているか判定を行なう画像判定手段と、前記画像判定手段による判定結果に基づいて、前記画像出力手段による画像の再現出力を制御する制御手段とを有する画像処理装置において、
複数の特定パターン画像情報を管理する特定パターン画像管理部と、
複数ある特定パターン画像情報の中で、どの特定パターン画像情報を優先的に用いて画像の判定を順次行なうか設定する判定順序設定手段とを備え、
前記画像判定手段は、前記画像入力手段から入力される画像情報に対して、前記判定順序設定手段により設定された優先順位に基づいて複数ある特定パターン画像情報を適用順序を切り換えて適用可能として、特定パターン画像の有無判定を行い、
前記判定順序設定手段は、上記画像判定手段による画像の判定履歴状況を管理しておき、特定パターン画像として判定された回数の多い特定パターン画像情報を優先させることを特徴とする画像処理装置。
【請求項２】
画像情報を入力する画像入力手段と、前記画像入力手段から入力された画像情報に基づいて、画像を再現出力する画像出力手段と、前記画像入力手段に入力された画像データの少なくとも一部に、特定パターン画像が含まれているか判定を行なう画像判定手段と、前記画像判定手段による判定結果に基づいて、前記画像出力手段による画像の再現出力を制御する制御手段とを有する画像処理装置において、
複数の特定パターン画像情報を管理する特定パターン画像管理部と、
複数ある特定パターン画像情報の中で、どの特定パターン画像情報を優先的に用いて画像の判定を順次行なうか設定する判定順序設定手段とを備え、
前記画像判定手段は、前記画像入力手段から入力される画像情報に対して、前記判定順序設定手段により設定された優先順位に基づいて複数ある特定パターン画像情報を適用順序を切り換えて適用可能として、特定パターン画像の有無判定を行い、
前記判定順序設定手段は、前記画像判定手段による前回の画像判定により特定のパターン画像であると判定された特定パターン画像情報を優先させることを特徴とする画像処理装置。
【発明の詳細な説明】
【０００１】
【発明の属する技術分野】
本発明は、原稿読み取り装置などの入力装置から入力される画像をプリンタ装置などの出力装置から出力する画像処理装置に関する。
【０００２】
【従来の技術】
近年、カラー画像情報をカラー画像として忠実に記録再現できるデジタルカラー記録装置（複写機、プリンタなど）が商品化され、簡単にカラー画像をプリントアウトすることができるようになってきている。
また、コンビニエンスストアなどにおいては、手軽にコピーができるように、複写機とコインベンダーを接続したコピーサービスシステムが数多く導入されている。
【０００３】
しかし最近では、ユーザーの要望が多種多様化しており、コピーの原稿も白黒だけにとどまらず、情報誌などはカラーの原稿（情報）がほとんどで、コピーサービスとしても手軽にカラーコピーもできる複写機の導入が行われている。
そして先にも述べたように、カラー画像情報をカラー画像として忠実に記録再現できるデジタルカラー記録装置を利用することにより、誰もが簡単にカラー画像をプリントアウトすることができるようになってきている。
そのために、このデジタルカラー複写機を用いて、本来、行為として禁止されている有価証券などを原稿としてコピーを不正に行う恐れがあり、問題となっている。
【０００４】
そこで、例えば特開平８−２８７３１３号公報のような装置が考えられている。
簡単に説明すると、スキャナ装置などの原稿画像走査装置から入力されるカラー画像情報が有価証券などでないかどうか確認しながら画像の出力を行なう技術に関するものであり、原稿画像を複数回に分けて走査する読み取り装置において、各回の走査により得られた画像情報毎きこ画像の判定基準（特徴の抽出）を順次興り換えて判定を正確に行なうものである。
【０００５】
【発明が解決しようとする課題】
しかしながら、最近では市場解放による各国の紙幣の増加、複写スピードのアップなどで、複写装置としても、短時間で多くの特定パターン画像との比較により判定を正確に行ない、通常は、出力画像として利用者に出力した記簸物を提供しなければならない。
かといって、高速処理するために高度な画像処理能力を搭載すると装置としての価格が問題となってくる。
【０００６】
本発明は、前記の問題点を解消するためなされたものであって、装置としての価格を上げることなく、数多くある紙幣などの判定を短い時間で確実に行なうことの出来る判定装置を搭載した画像処理装置を提供することを目的とする。
【０００７】
【課題を解決するための手段】
本発明は、上記目的を達成するため、次の構成を有する。本発明は、画像情報を入力する画像入力手段と、前記画像入力手段から入力された画像情報に基づいて、画像を再現出力する画像出力手段と、前記画像入力手段に入力された画像データの少なくとも一部に、特定パターン画像が含まれているか判定を行なう画像判定手段と、前記画像判定手段による判定結果に基づいて、前記画像出力手段による画像の再現出力を制御する制御手段とを有する画像処理装置において、複数の特定パターン画像情報を管理する特定パターン画像管理部と、複数ある特定パターン画像情報の中で、どの特定パターン画像情報を優先的に用いて画像の判定を順次行なうか設定する判定順序設定手段とを備え、前記画像判定手段は、前記画像入力手段から入力される画像情報に対して、前記判定順序設定手段により設定された優先順位に基づいて複数ある特定パターン画像情報を適用順序を切り換えて適用可能として、特定パターン画像の有無判定を行い、前記判定順序設定手段は、上記画像判定手段による画像の判定履歴状況を管理しておき、特定パターン画像として判定された回数の多い特定パターン画像情報を優先させることを特徴とする画像処理装置である。
【０００８】
本発明は、画像情報を入力する画像入力手段と、前記画像入力手段から入力された画像情報に基づいて、画像を再現出力する画像出力手段と、前記画像入力手段に入力された画像データの少なくとも一部に、特定パターン画像が含まれているか判定を行なう画像判定手段と、前記画像判定手段による判定結果に基づいて、前記画像出力手段による画像の再現出力を制御する制御手段とを有する画像処理装置において、複数の特定パターン画像情報を管理する特定パターン画像管理部と、複数ある特定パターン画像情報の中で、どの特定パターン画像情報を優先的に用いて画像の判定を順次行なうか設定する判定順序設定手段とを備え、前記画像判定手段は、前記画像入力手段から入力される画像情報に対して、前記判定順序設定手段により設定された優先順位に基づいて複数ある特定パターン画像情報を適用順序を切り換えて適用可能として、特定パターン画像の有無判定を行い、前記判定順序設定手段は、前記画像判定手段による前回の画像判定により特定のパターン画像であると判定された特定パターン画像情報を優先させることを特徴とする画像処理装置である。
【００１６】
まず、様々な特徴情報を含んだ一群の特定パターン画像情報を、所定規則に基づいて複数の特定パターン画像情報に分割管理することで、パタ−ンマッチング処理等の判定に使用するその特定パターン画像情報の適用順番を任意に切り換えて（切り換えながら、及び切り換えた後を含む）判断処理可能となる。
よって、実際に入力される画像情報を各特定パターン画像情報を用いて有無判定する場合に、入力された画像情報がどの特定パターン画像情報にあたる可能性が高いか予想、判断できる時には、その該当確率の高い順番で特定パターン画像情報を有無判定に用いることが可能となり、もし早い段階で該当することとなれば、後の特定パターン画像情報との有無判定を省略することが可能となり、処理スピードの効率化が図れることとなる。
【００１７】
よって、単に入力された順番などの固定形式で管理される特定パターン画像情報群を常に先頭からシーケンシャルにパターンマッチング等の画像判定に用いるよりは、予めその一群の特定パターン画像情報群を複数に分割管理し、その分割管理された複数の特定パターン画像情報を任意の順番で適用するという階層処理による有無判定を行うことでスムーズに判定と再生出力の処理を行なうことができる。
また、簡単な構成により多くの有価証券などの画像情報を短時間で判定できるために、高度なレベルの処理（判定）装置を複写機に搭載することもなく、商品の価格を抑えることができた。
【００１９】
すなわち、まず一群の特定パターン画像情報群を所定規則に基づいて複数の特定パターン画像情報に分割管理することで、パタ−ンマッチング処理等を優先順位に基づいた順番で特定パターン画像情報を適用して判定処理可能となる。
そして、実際に入力される画像情報を特定パターン画像情報を用いて判定する場合に、優先順位に基づく該当確率の高い順番で特定パターン画像情報を有無判定に用いることが可能となり、もし早い段階で該当することとなれば、後の特定パターン画像情報との有無判定を省略することが可能となり、処理スピードの効率化が図れることとなる。
【００２０】
よって、単に、入力された順番等の固定形式で管理されるパターン画像情報を常にシーケンシャルにパターンマッチング等の画像判定を行うよりは、一群の特定パターン画像情報群を複数に分割管理し、かつ優先順位を設けてその優先順位に基づいてパターンマッチング処理等の検索判定処理を行うことでスムーズに判定と出力の処理を行なうことができる。
また、簡単な構成により多くの有価証券などのパターン画像情報を短時間で判定できるために、高度なレベルの処理（判定）装置を複写機に搭載することもなく、商品の価格を抑えることができた。
【００２７】
【発明の実施の形態】
以下、図面を参照して本発明の実施形態を詳細に説明する。
本発明に係る実施の一形態を、図１〜図６に基づいて説明すれば、以下の通りである。
図１は、本発明の実施形態に係る画像形成装置であるデジタルカラー複写機１の構成を示す正面断面略図である。
複写機本体１の上面には、原稿台１１１及び後述する操作パネルが設けられ、複写機本体１の内部に画像読み取り部１１０および画像形成部２１０が設けられた構成である。
【００２８】
また、原稿台１１１の上面には藤原稿台１１１に対して開閉可能な状態で支持され、原稿台１１１面に対して所定の位置関係をもって両面自動原稿送り装置（ＲＡＤＦ；Ｒｅｖｅｒｓｉｎｇ  Ａｕｔｏｍａｔｉｃ  Ｄｏｃｕｍｅｎｔ  Ｆｅｅｄｅｒ）１１２が装着されている。
【００２９】
さらに、両面自動原稿送り装置１１２は、まず、原稿の一方の面が原稿台１１１の所定位置において画像読み取り部１１０に対向するよう原稿を搬送し、この一方の面についての画像読み取りが終了した後に、他方の面が原稿台１１１の所定位置において画像読み取り部１１０に対向するよう原稿を反転して原稿台１１１に向かって搬送するようになっている。
【００３０】
そして、両面自動原稿送り装置１１２は、１枚の原稿について両面の画像読み取りが終了した後にこの原稿を排出し、次の原稿についての両面搬送動作を実行する。
以上の原稿搬送、および原稿面の表裏反転の動作は、複写機１全体の動作に関連して制御されるものである。
【００３１】
画像読み取り部１１０は、両面自動原稿送り装置１１２により原稿台１１１上に搬送されてきた原稿の画像を読み取るために、原稿台１１１の下方に配置されている。
この画像読み取り部１１０は、該原稿台１１１の下面に沿って平行に往復移動する原稿走査体１１３、１１４と、光学レンズ１１５と、光電変換素子であるＣＣＤラインセンサ１１６とを有している。
【００３２】
この原稿走査体１１３、１１４は、第１の走査ユニット１１３と第２の走査ユニット１１４とから構成されており、第１の走査ユニット１１４は原稿画像表面を露光する蕗光ランプと、原稿からの反射光像を所定の方向に向かって偏向する第１ミラーとを有し、原稿台１１１の下面に対して一定の距離を保ちながら所定の走査速度で平行に往復移動するものである。また、第２の走査ユニット１１４は、第１の走査ユニット１１３の第１ミラーにより備回された原稿からの反射光像をさらに所定の方向に向かって偏向する第２および第３ミラーとを有し、第１の走査ユニット１１３と一定の速度関係を保って平行に往復移動するものである。
【００３３】
光学レンズ１１５は、第２の走査ユニットの第３ミラーにより偏向された原稿からの反射光像を縮小し、縮小された光像をＣＣＤラインセンサ１１６上の所定位置に結像させるものである。
【００３４】
ＣＣＤラインセンサ１１６は、結像された光像を順次光電変換して電気信号として出力するものである。ＣＣＤラインセンサ１１６は、白黒画像あるいはカラー画像を読み取り、Ｒ（赤）、Ｇ（緑）、及びＢ（青）の各色成分に色分解したラインデータを出力することのできる３ラインのカラーＣＣＤである。このＣＣＤラインセンサ１１６により電気信号に変換された原稿画像情報は、さらに、後述する画像処理部に転送されて所定の画像データ処理が施される。
【００３５】
次に、画像形成部２１０の構成、および画像形成部２１０に係わる各部の構成について説明する。
まず、画像形成部２１０の下方には、用紙トレイ内に積載収容されている用紙（記録媒体）Ｐを１枚ずつ分離して画像形成部２１０に向かって供給する給紙機構２１１が設けられている。
【００３６】
そして１枚ずつ分離供給された用紙Ｐは、画像形成部２１０の手前に配置された一対のレジストローラ２１２によりタイミングが制御されて画像形成部２１０に搬送される。
【００３７】
さらに、片面に画像が形成された用紙Ｐは、画像形成部２１０の画像形成にタイミングを合わせて画像形成部２１０に再供給搬送される。
【００３８】
画像形成部２１０の下部には、転写搬送ベルト機構２１３が配置されている。この転写搬送ベルト機構２１３は、駆動ローラ２１４と従動ローラ２１５との間に略平行に伸びるように張架された転写搬送ベルト２１６に用紙Ｐを静電吸着させて搬送する構成となっている。そして、転写搬送ベルト２１６の下側に近接して、パターン画像検出ユニット２３２が設けられている。
【００３９】
さらに、用紙搬送路における転写搬送ベルト機構２１３の下流側には、用紙Ｐ上に転写形成されたトナー像を用紙Ｐ上に定着させるための定着装置２１７が配置されている。この定着装置２１７の一対の定着ローラ間におけるニップ部を通過した用紙Ｐは、搬送方向切り換えゲート２１８を経て、排出ローラ２１９により複写機本体１の外壁に取り付けられている排紙トレイ２２０上に排出される。
【００４０】
切り換えゲート２１８は、定着後の用紙Ｐの搬送経路を、複写機本体１へ用紙Ｐを排出する経路と、画像形成部２１０に向かって用紙Ｐを再供給する経路との間で選択的に切り換えるものである。切り換えゲート２１８により再び画像形成部２１０に向かって搬送方向が切り換えられた用紙Ｐは、スイッチバック搬送経路２２１を介して表裏反転された後、画像形成部２１０へと再度供給される。
【００４１】
また、画像形成部２１０における転写搬送ベルト２１６の上方には、転写搬送ベルト２１６に近接して、第１の画像形成ステーションＰａ、第２の画像形成ステーションＰｂ、第３の画像形成ステーションＰｃ、および第４の画像形成ステーションＰｄが、用紙搬送経路上流側から順に並設されている。
【００４２】
転写搬送ベルト２１６は、駆動ローラ２１４によって図１において矢印Ｚで示す方向に摩擦駆動され、前述したように給紙機構２１１を通じて給送される用紙Ｐを支持し、用紙Ｐを画像形成ステーションＰａ〜Ｐｄへと順次搬送する。
【００４３】
各画像ステーションＰａ〜Ｐｄは、実質的に同一の構成を有している。各画像ステーションＰａ，Ｐｂ，Ｐｃ，及びＰｄは、図１に示す矢印Ｆ方向に回転駆動される感光体ドラム２２２ａ，２２２ｂ，２２２ｃ、及び２２２ｄをそれぞれ含んでいる。
【００４４】
各感光体ドラム２２２ａ〜２２２ｄの周辺には、感光体ドラム２２２ａ〜２２２ｄをそれぞれ一様に帯電する帯電器２２３ａ，２２３ｂ，２２３ｃ，２２３ｄと、感光体ドラム２２２ａ〜２２２ｄ上に形成された静電潜像をそれぞれ現像する現像装置２２４ａ，２２４ｂ，２２４ｃ，２２４ｄと、現像された感光体ドラム２２２ａ〜２２２ｄ上のトナー像を用紙Ｐへ転写する転写用放電器（転写ローラ）２２５ａ，２２５ｂ，２２５ｃ，２２５ｄと、感光体ドラム２２２ａ〜２２２ｄ上に残留するトナーを除去するクリーニング装置２２６ａ，２２６ｂ，２２６ｃ，２２６ｄとが各々感光体ドラム２２２ａ〜２２２ｄの回転方向に沿って順次１つずつ配置されている。
【００４５】
また、各感光体ドラム２２２ａ〜２２２ｄの上方には、レーザービームスキャナユニット２２７ａ，２２７ｂ，２２７ｃ，２２７ｄがそれぞれ設けられている。
このレーザービームスキャナユニット２２７ａ〜２２７ｄは、画像データに応じて変調されたドット光を発する半導体レーザ素子（図示せず）、半導体レーザ素子からのレーザービームを主走査方向に偏向させるためのポリゴンミラー（偏向装置）２４０ａ〜２４０ｄと、ポリゴンミラー２４０ａ〜２４０ｄにより偏向されたレーザビームを感光体ドラム２２２ａ〜２２２ｄ表面に結像させるためのｆθレンズ２４１ａ〜２４１ｄやミラー２４２ａ〜２４２ｄ、２４３ａ〜２４３ｄなどから構成されている。
【００４６】
レーザービームスキャナ２２７ａには、カラー原稿画像の黒色成分像に対応する画素信号が、レーザービームスキャナ２２７ｂには、カラー原稿画像のシアン色成分像に対応する画素信号が、レーザービームスキャナ２２７ｃには、カラー原稿画像のマゼンタ色成分像に対応する画素信号が、そして、レーザービームスキャナ２２７ｄには、カラー原稿画像のイエロー色成分像に対応する画素信号がそれぞれ入力される。
これにより色変換された原稿画像情報に対応する静電潜像が各感光体ドラム２２２ａ〜２２２ｄ上に形成される。そして、現像装置２２７ａには黒色のトナーが、現像装置２２７ｂにはシアン色のトナーが、現像装置２２７ｃにはマゼンタ色のトナーが、現像装置２２７ｄにはイエロー色のトナーがそれぞれ収容されており、感光体ドラム２２２ａ〜２２２ｄ上の静電潜像は、これら各色のトナーにより現像される。これにより、画像形成部２１０にて色変換された原稿画像情報が各色のトナー像として再現される。
【００４７】
また、第１の画像形成ステーションＰａと給紙機構２１１との間には用紙吸着用帯電器（帯電ローラ）２２８が設けられており、この吸着用帯電器２２８は転写搬送ベルト２１６の表面を帯電させ、給紙機構２１１から供給された用紙Ｐは、転写搬送ベルト２１６上に確実に吸着させた状態で第１の画像形成ステーションＰａから第４の画像形成ステーションＰｄの間をずれることなく搬送させる。
【００４８】
一方、第４の画像ステーションＰｄと定着装置２１７との間で駆動ローラ２１４のほぼ真上部には除電器２２９が設けられている。この除電器２２９には搬送ベルト２１６に静電吸着されている用紙Ｐを転写搬送ベルト２１６から分離するための交流電流が印加されている。
【００４９】
上記構成のデジタルカラー複写機１においては、用紙Ｐとしてカットシート状の紙が使用される。この用紙Ｐは、給紙カセットから送り出されて給紙機構２１１の給紙搬送経路のガイド内に供給されると、その用紙Ｐの先端部分がセンサー（図示せず）にて検知され、このセンサから出力される検知信号に基づいて一対のレジストローラ２１２により一旦停止される。
そして、用紙Ｐは各画像ステーションＰａ〜Ｐｄとタイミングをとって図１の矢印Ｚ方向に回転している転写搬送ベルト２１６上に送られる。このとき転写搬送ベルト２１６には前述したように吸着用帯電器２２８により所定の帯電が施されているので、用紙Ｐは、各画像ステーションＰａ〜Ｐｄを通過する間、安定して搬送供給される。
【００５０】
各画像ステーションＰａ〜Ｐｄにおいては、各色のトナー像が所定のタイミングでもってそれぞれ形成され、転写搬送ベルト２１６により静電吸着されて搬送される用紙Ｐの支持面上で重ね合わされる。
【００５１】
第４の画像ステーションＰｄによる画像の転写が完了すると、用紙Ｐは、その先端部分から順次、除電用放電器２２９により転写搬送ベルト２１６上から剥離され、定着装置２１７へと導かれる。最後に、トナー画像が定着された用紙Ｐは、用紙排出口（図示せず）から排紙トレイ２２０上へと排出される。
【００５２】
なお、上述の説明ではレーザービームスキャナユニット２２７ａ〜２２７ｄによって、レーザービームを走査して露光することにより、感光体ドラム２２２への光書き込みを行なう。しかし、レーザービームスキャナユニットの代わりに、発光ダイオードアレイと結像レンズアレイからなる書き込み光学系（ＬＥＤヘッド）を用いても良い。
このＬＥＤヘッドはレーザービームスキャナーユニットに比べ、サイズも小さく、また可動部分がなく無音である。よって、複数個の光書き込みユニットを必要とするタンデム方式のデジタルカラー複写機などの画像形成装置では、好適に用いることができる。
以上が、デジタルカラー画像形成装置（デジタルカラー複写機１）の全体構成についての説明である。
【００５３】
図２は、デジタルカラー画像形成装置１における画像処理をブロック図にて示すものである。
このデジタル複写機１に含まれている画像処理部は、画像データ入力部４０、画像処理部４１、ハードディスク装置もしくはＲＡＭ（ランダムアクセスメモリ）等から構成される画像メモリ４３、画像データ出力部４２、中央処理装置（ＣＰＵ）４４、画像編集部４５、および外部インターフェイス部４６、４７、画像判定部４８から構成されている。
【００５４】
画像データ入力部（原稿読み取り部）４０は、白黒原稿あるいはカラー原稿画像を読み取りＲＧＢの色成分に色分解したラインデータを出力することのできる３ラインのカラーＣＣＤ４０ａにて読み取られたラインデータのライン画像レベルを補正するシェーディング補正回路４０ｂ、３ラインのカラーＣＣＤ４０ａにて読み取られた画像ラインデータのずれを補正するラインバッファなどのライン合わせ部４０ｃ、３ラインのカラーＣＣＤ４０ａから出力される各色のラインデータの色データを補正するセンサ色補正部４０ｄ、各画素の信号の変化にめりはりを持たせるよう補正するＭＴＦ補正部４０ｅ、画像の明暗を補正して視感度補正を行うγ補正部４０ｆ等から概略構成されている。
【００５５】
画像処理部４１は、画像データ入力部４０から入力されるカラー画像信号であるＲＧＢ信号よりモノクロデータを生成するモノクロデータ生成部４１ａ（白黒原稿）と、ＲＧＢ信号を記録装置の各記録部に対応したＹＭＣ信号に変換し、またクロック変換する入力処理部４１ｂ、入力された画像データが文字部なのか網点写真なのか印画紙写真なのかをそれぞれを分離する領域分離部４１ｃ、入力処理部４１ａから出力されるＹＭＣ信号に基づいて下色除去処理を行い黒生成する黒生成部４１ｄ、各色変換テーブルに基づいてカラー画像信号の各色を調整する色補正回路４１ｅ、設定されている倍率に基づいて入力された画像情報を倍率変換するズーム処理回路４１ｆ、及び空間フィルタ４１ｇ、多値誤差拡散や多値ディザなどの階調性を表現するための中間調処理部４１ｈ等から成っている。
【００５６】
また、各処理が施されたイエローの画像データに対して、最終段階でもってデジタルカラー複写機１の装置固有の識別情報を付加する追跡パターン付加部４１ｉが設けられている。
これは、画像の特徴を損ねることなく、すなわち人間の目に見えにくい色材でもって装置固有の識別情報を付加するためである。
以上の画像処理部４１で各種処理が施された各色画像データは、一旦画像メモリー４３に貯えられる。
【００５７】
画像メモリー部４３は、画像処理部４１からシリアル出力される８ビット４色（３２ビット）の画像データを順次受け取り、バァファに一時的に貯えながら３２ビットのデータから８ビット４色の画像データに変換して色毎の画像データとして記憶管理する４基のハードディスク（回転記憶媒体）４３ａ、４３ｂ、４３ｃ、及び４３ｄからなる。
【００５８】
また各画像ステーションＰａ〜Ｐｄの位置が異なるため、画像メモリー部４３の遅バッファメモリ４３ｅ（半導体メモリー）に各色画像データを一旦記憶させ、それぞれ時間をずらすことにより、各レーザースキャナーユニットに画像データを送りタイミングを合わせて色ずれを防ぐ。
【００５９】
画像データ出力部４２は、中間調処理部４１ｈからの各色画像データに基づいてパルス幅変調を行うレーザコントロールユニット４２ａ、レーザコントロールユニット４２ａから出力される各色の画像信号に応じたパルス幅変調信号に基づいてレーザ記録を行う各色のレーザスキャナユニット４２ｂ、４２ｃ、４２ｄ、４２ｅからなる。
【００６０】
中央処理装置（ＣＰＵ）４４は、画像データ入力部４０、画像処理部４１、画像メモリ４３、画像データ出力部４２、後述する画像編集部４５、および外部インターフェイス部４６、４７を所定のシーケンスに基づいてコントロールするものである。
【００６１】
また画像編集部４５は、画像データ入力部４０、画像処理部４１、あるいは後述するインターフェースを経て一旦画像メモリ４３に記憶された画像データに対して所定の画像編集を施すためのものである。
【００６２】
さらにインターフェイス４６は、デジタルカラー複写機１とは別に設けられた外部の画像入力処理装置（通信携帯端末、デジタルカメラ、デジタルビデオカメラ等）からの画像データを受け入れるための通信インターフェイス手段である。なお、このインターフェース４６から入力される画像データも、一旦画像処理部４１に入力して色空間補正などを行うことでデジタル複写機１の画像記録部２１０で取扱うことのできるデータレベルに変換してハードディスク４３ｂ、４３ｃ、４３ｄ、及び４３ｅに記憶管理されることとなる。
【００６３】
さらに、インターフェース４７はパーソナルコンピュータなどにより作成された画像データを入力するプリンタインタフエースであり、またＦＡＸ受信した画像データを受け入れるための白黒またはカラーＦＡＸインタフエースである。
【００６４】
このインタフエース４７から入力される画像データは、すでにＣＭＹＫ信号であるので、画像処理部４１の途中から中間調処理４１ｈなどの処理を施して画像メモリー４３のハードディスク４３ｂ、４３ｃ、４３ｄ、４３ｅにそれぞれ記憶管理されることとなる。
【００６５】
そして、画像判定部４８は、入力される原稿画像データが紙幣などの有価証券でないか判定を行なうと共に、画像データ入力部４０あるいはインターフェイス４７から入力された画像が紙幣などの有価証券であると判定された時には、中央処理装置（ＣＰＵ）４４に対してそのことを伝え、以降の画像記録動作を制御させるものである。
【００６６】
図３は、デジタルカラー複写機１を構成する装置各部を中央制御ユニット（ＣＰＵ）４４により動作管理している状態を示すものである。
画像データー入力部４０、画像処理部４１、画像メモリー４３、画像データー出力部４２、及び画像判定部４８の詳細については、図２にて説明した通りであって、重複するので説明を省略する。
【００６７】
中央処理装置４４は、前記各種ブロック以外に、ＲＡＤＦ、スキャナー部、レーザープリンター部などデジタル複写機１を構成する各駆動機構部をシーケンス制御により管理すると共に、各部へ制御信号を出力している。また、各駆動機構部からは、動作の確認、および動作指示タイミングの基準となるための各種センサからの出力信号が入力される。
【００６８】
さらに中央処理装置４４には、操作パネルと、この操作パネル全体を制御するＣＰＵからなる操作基板ユニット（ＯＰＵ）４７Ａが相互通信可能な状態で接続されており、操作パネル７５（図４）の操作に応じて操作者が設定入力した複写モード内容を示す制御信号を中央処理ユニット４４に転送して、デジタルカラー複写機１全体が設定されたモードに応じて動作するように制御している。
【００６９】
また、中央処理ユニット４４からはデジタルカラー複写機１の各種動作状態を示す制御信号を操作基板ユニット４７Ａへと転送して、操作基板ユニット４７Ａ側ではこの制御信号により装置１が現在どのような状態にあるのか操作者に示すように表示部などにより動作状態を表示するようになっている。
【００７０】
さらにまた、この中央処理装置４４には、ソータ、ステープルなどの後処理装置を制御するＣＰＵとも相互通信を行い、それぞれの装置が互いに関連した動作を行うようなつている。
【００７１】
図４は、カラーデジタル複写機１における操作パネル７５の一例を表したものである。
この操作パネル７５の中央部分には、タッチパネル液晶表示装置６が配置されていて、その周囲に各種モード設定キー群が配置されている。
【００７２】
このタッチパネル液晶表示装置６の画面上には、常時画像編集機能を選択するための画面に切り換える画面切り換え指示エリアがあり、このエリアを指で直接押圧操作すると各種画像編集機能が選択できるように液晶画面上に各種編集機能が一覧表示される。
【００７３】
その表示された各種編集機能の中から、操作者が所望する機能が表示されている領域を指で触れることにより編集機能が設定される。
上記操作パネル上に配置された各種設定キー群について簡単に説明すると、７は液晶表示装置６の画面の明るさを調整するダイヤルである。８は倍率を自動的に選択させるモードの設定する倍率自動設定キー、９は複写倍率を１％きざみで設定するためのズームキー、１０と１１は固定倍率を読み出して選択するための固定倍率キー、１２は複写倍率を標準倍率（等倍）に戻すための等倍キーである。
【００７４】
１３はコピー濃度調整を自動から手動または、写真モードへと切り換えるための濃度切り換えキー、１４は手動モードまたは、写真モードの時に濃度レベルを細かく設定するための濃度調整キー、１５は複写機１の給紙部にセットされている用紙サイズの中から希望する用紙サイズを選択するためのトレイ選択キーである。
【００７５】
１６は複写枚数の設定するための枚数設定キー、１７は複写枚数をクリアしたり、連続コピーを途中で止める時に操作するクリアキー、１８はコピーの開始を指示するためのスタートキー、１９は現在設定されているモードの全てを解除して標準状態に復帰させるための全解除キー、２０は連続コピー中に別の原稿に対するコピーを行いたい時に操作する割り込みキー、２１は複写機１の操作が分からない時に操作することで複写機１の操作方法をメッセージ表示するための操作ガイドキー、２２は操作ガイドキー２１の操作により表示されたメッセージの続きを表示させるためのメッセージ順送りキーである。
【００７６】
２３は両面複写モードの設定するための両面モード設定キー、２４は複写機１から排出される複写物を仕分けるための後処理装置の動作モードを設定するための後処理モード設定キーである。
【００７７】
２５から２７は、プリンターモード、ファクシミリモードに関する設定キーであり、２５は送信原稿を一旦メモリに蓄えてから送信するメモリ送信モードキー、２６はデジタル複写機１のモードをコピーとファックス、プリンターの間で切り換えるためのコピー／ファックス・プリンターモード切り換えキー、２７は送信先電話番号を予め記憶させておき送信時にワンタッチ操作で送信先に電話を発信させるためのワンタッチダイヤルキーである。
【００７８】
上記説明した操作パネル７５及びその操作パネル７５上に配置される各種キーは、あくまでも１例であり、カラーデジタル複写機１に搭載される各種機能により操作パネル上に設けられるキーは異なってくることはいうまでもない。
【００７９】
図５はスタンドアローンとしてのカラーデジタル複写機１ではなく、カラーデジタル複写機１を核としたネットワークシステム構成を示した図である。
画像情報入力方法としては、カラーデジタル複写機１の画像読み取り部１１０（図１）（画像データ入力部４０）から原稿情報入力するのみならず、ネットワーク接続されたパーソナルコンピュータ２、デジタルカメラ３、デジタルビデオカメラ４、通信携帯端末５などの外部機器（インターフェイス４６、４７）からの画像情報入力に対応している。
【００８０】
またインターネットやイントラネットあるいは高成長する通信インフラを通じ、遠隔地より画像情報入力が可能となっている。
【００８１】
従ってこれらの画像情報を出力するデジタル複写機はマルチファンクションプリンタとして、またネットワークプリンタとして重要な役割を果たすとともに、デジタル複写機のもつ機能の他に、さらに利用する側から見て付加価値を持たせることが出来るシステム構成となっている。
【００８２】
次に上記デジタルカラー複写機１、およびネットワーク環境下における入力画像情報の判断工程について説明する。
まず、デジタルカラー複写機１の画像データ入力部４０あるいはインターフェイス４６、４７を介して入力される画像情報の画像判定について説明する（図２、３参照）。
デジタルカラー複写機１に入力された画像データの中に特定の画像データ（有価証券）が含まれていないか画像判定を行なう画像判定部４８としては、図６に示すように、画像判定部４８Ａと特定パターン画像管理部４８Ｂと中央演算処理装置（ＣＰＵ）４８Ｃなどから概略構成されている。
【００８３】
画像判定部４８Ａは、中央演算処理装置（ＣＰＵ）４４、４８Ｃの制御の下で、画像データ入力部４０等から画像デ−タバスＧＤＢを通じて入力される画像デ−タについて、特定パターン画像管理部４８Ｂから順次送られてくる特定パタ−ン画像テーブルＰＴ１〜ＰＴｎを比較デ−タとしてパタ−ンマッチング処理により画像デ−タの判断を行う。
【００８４】
特定パターン画像管理部４８Ｂは、ランダムアクセス可能としたデ−タベ−スであり、各国毎の有価証券（紙幣）に関する情報を特定パターン画像管理テーブルＰＴ１〜ＰＴｎとして管理し、中央演算処理装置（ＣＰＵ）４８Ｃからの制御信号に基づき所定順序に基づいて該各特定パターン画像管理テーブルデータＰＴ１〜ＰＴｎを前記画像判定部４８Ａに転送するものである。尚、該特定パターン画像管理テーブルＰＴは、任意に追加、変更可能となっている。
また、特定パターン画像管理部４８Ｂ内には、前記パタ−ンマッチング処理結果を履歴情報として格納する図示しない領域をも有している。
【００８５】
上記構成の下で、カラーデジタル複写機１の原稿画像読み取り部１１０から入力される画像データは、ＲＧＢのカラー画像データから構成され、原稿読み取り部１１０の原稿走査ユニット１１３、１１４が原稿を走査する毎にカラーＣＣＤｌ１６から各種データ補正を行なった後、画像データバスＧＤＢから画像処理部４１に入力される。なお、このときの原稿画像の露光走査は、原稿１枚に対する出力コピー枚数の数だけ繰り返されるもので、この１枚の原稿に対して繰り返し行なわれる露光走査毎に、複数ある特定パターン画像のうち必要とする特定パターン画像管理テーブルＰＴ１〜ＰＴｎが順次切り換えて画像判定部４８Ａに送られ、原稿の画像の中に有価証券の画像が含まれていないかパタ−ンマッチング判定が行われる。
【００８６】
ここで複数準備されている特定パターン画像管理テーブルＰＴ１〜ＰＴｎは、本実施形態では上記したように各国の紙幣に関する情報とし、例えば「管理テーブルＰＴ１」には日本の紙幣に関する情報が、また「管理テーブルＰＴ２」にはアメリカの紙幣に関する情報が、さらに「管理テーブルＰＴ３」と「管理テーブルＰＴ４」には、ヨーロッパ各国の紙幣に関する情報がそれぞれ管理されている。
なお、「管理テーブルＰＴ」は４つの管理テーブルだけにとどまらず、必要に応じて増やすことは可能である。
【００８７】
次に複数ある特定パターン画像の管理テーブルＰＴ１〜ＰＴｎをどのような順番で用いて、入力される画像データの判定を行なうかを説明する。
本実施形態での画像判定部４８には、複数ある特定パターン画像の管理テーブルＰＴ１〜ＰＴｎをどのような順番で用いながら、入力される画像データの判定を行なうか設定する設定手段を備えている。
【００８８】
前記設定手段としては手動と自動の２通りの設定方法があり、設定の基準としては、まず、カラーデジタル複写機１が設置される環境、場所などがあり、例えば日本国内で複写機１を利用する場合には最も偽造複写される可能性の高いと思われる日本の有価証券に関する情報を管理した「管理テーブルＰＴ１」を優先的に用いるように設定する。同様にアメリカ市場用で複写機１を使用する場合には、アメリカの有価証券に関する情報を管理した「管理テーブルＰＴ２」を優先的に用いるように設定する。なお、その次以降、優先的に用いる「管理テーブルＰＴ」としても任意に設定出来るものであり、さらに、設定された以降も必要に応じて任意に設定変更、追加できるものである。設定方法としては、装置として調整モードにある中で、操作パネル７５あるいはコントロール専用端末２などを用いて任意に設定する。
【００８９】
また、他の設定方法としては、過去の画像（偽造）の判定履歴情報を管理しておき、「管理テーブルＰＴｎ」を用いて特定のパターン画像の可能性が高いと判定された回数の多い「管理テーブルＰＴｎ」を優先的に用いて画像の判定を行なうように設定することも可能である。これにより、頻繁に入力される可能性のある画像の特徴を確実に判定して、結果として判定の精度を向上（違法行為を抑制）させることができる。
【００９０】
さらに、前回（直前）の画像の判定により特定のパターン画像ではないかとして判定したときの「管理テーブルＰＴｎ」を優先的に用いて、再度（引き続き）入力される画像の判定を行なうように設定することも可能である。これにより、繰り返し同じ画像を入力する恐れがあることを考慮して、結果として判定の精度を向上（違法行為を抑制）させることができる。
【００９１】
上記した特定のパターン画像ではないかとして判定された回数や、前回（直前）の画像の判定により特定のパターン画像ではないかとして判定したときの「管理テーブルＰＴｎ」履歴等の情報は、特定パターン画像管理部４８Ｂ内の情報格納領域に管理されている。
【００９２】
さらにまた、カラーデジタル複写機１に対して新たに被複写媒体であるカラー画像等が入力されたとなると、優先的に、設定されている「管理テーブル１」の特定パターン画像に関する情報と新たに入力される画像データとの比較を順次行ない入力される画像データに特定のパターン画像情報が含まれていないかどうか判定している。これによりすべての画像情報に対して判定のレベルを同一にすることができる。
【００９３】
以上説明したように、本実施形態では入力された画像データの中に特定の画像データ（有価証券）が含まれているか否か画像判定を行なう画像判定部４８では、入力される画像デ−タをパターンマッチング処理にて比較する各国の有価証券の特徴を国毎に分割して複数の特定パターン画像管理テーブルＰＴ１〜ＰＴｎを用意することで、国毎にパタ−ンマッチング処理順序を任意に入れ換えながら判断処理可能となる。従って、該当可能性の高い特定パターン画像管理テーブルＰＴ１〜ＰＴｎから処理することで、該当後のパタ−ンマッチング処理を省略できるために次の複写までの処理スピードを上げることができる。
よって、単に、各国の有価証券の情報を入力された順番等の固定された順序に従って、常にシーケンシャルにパターンマッチング等の画像判定を行うよりも判定処理をスムーズに行なうことが可能となった。
【００９４】
また、上記のように簡単な構成により多くの有価証券などのパターン画像情報を短時間で判定できるために、高度なレベルの処理（判定）装置を複写機に搭載することもなく、商品の価格を抑えることができた。
【００９５】
【発明の効果】
以上説明した通り、本発明によれば、単に、入力された順番等の固定された形式で管理される特定パターン画像情報を常にシーケンシャルにパターンマッチング等の画像判定を行うよりも、判定処理を階層的に行うことでスムーズに判定と出力の処理を行なうことができる。また、簡単な構成により多くの有価証券などの画像情報を短時間で判定できるために、高度なレベルの処理（判定）装置を複写機に搭載することもなく、商品の価格を抑えることができた。
【００９６】
本発明によれば、複数ある特定パターン画像情報の中でも、装置が設置される場所の環境に応じて優先的にどの特定パターン画像情報を用いて判定させるか任意に設定出来るので、判定の精度を向上させることができる。
【００９７】
本発明によれば、過去の判定履歴から複数ある特定パターン画像情報の中でも、優先的にどの情報を用いて判定させるか設定されるので、頻繁等に入力される可能性のある画像の特徴を確実に判定して、結果として判定の精度を向上（違法行為を抑制）させることができる。
【００９８】
本発明によれば、前回の判定結果をもとに、複数ある特定パターン画像情報の中でも、優先的にどの管理部を用いて判定させるか設定されるので、繰り返し同じ画像情報を入力する恐れがあることを考慮して、結果として判定の精度を向上（違法行為を抑制）させることができる。
【００９９】
本発明によれば、繰り返し入力される同一の画像情報に対して、複数ある特定パターン画像情報を切り換えながら画像の判定を行うことにより、検出精度の向上を図ることができ、有価証券などの大量偽造を未然防止することができる。よって、多くの有価証券などの特定パターン画像を短時間で判定させるために高度なレべルの処理装置を複写機に搭載する事もなく、商品の価格を抑えることができる。
【０１００】
本発明によれば、新たな画像情報が入力されると、複数ある特定パターン画像情報に関する情報管理部の中でも、基準となる特定パターン画像情報を用いて判定させるので、すべての画像情報に対して判定のレベルを同一にすることができる。
【０１０１】
本発明によれば、複数ある特定パターン画像情報を各国毎に分割して、その国の有価証券（紙幣）に関する画像情報をまとめて管理するようにしたので、判定する基準となる各種情報の管理が分かりやすく、新たな情報の追加などメンテナンスも簡単に行なえる。
【図面の簡単な説明】
【図１】本発明の実施形態に係るデジタルカラー複写機の断面図である。
【図２】本発明の実施形態に係るデジタルカラー複写機の画像処理部のブロック図である。
【図３】本発明の実施形態に係るデジタルカラー複写機の制御ブロック図である。
【図４】本発明の実施形態に係るデジタルカラー複写機の操作パネルの正面図である。
【図５】本発明の実施形態に係るデジタルカラー複写機のネットワーク説明図である。
【図６】本発明の実施形態に係るデジタルカラー複写機の画像判定部の制御ブロック図である。
【符号の説明】
１  デジタルカラー複写機
４０  画像データ入力部
４１  画像処理部
４２  画像データ出力部
４６、４７  インターフェイス
４８  画像判定部
４８Ａ  画像判定部
４８Ｂ  特定パターン画像管理部
ＰＴ１〜ＰＴｎ  特定パターン画像管理テーブル
４４、４８Ｃ  中央演算処理装置
【図１】
0003669865.tif 000002
【図２】
0003669865.tif 000003
【図３】
0003669865.tif 000004
【図４】
0003669865.tif 000005
【図５】
0003669865.tif 000006
【図６】
0003669865.tif 000007